(57)【特許請求の範囲】
【請求項１】
筒形錐体を成す道路標識錐筒１の錐面を被包可能に作製された透光性合成樹脂シート部材２であって、前記標識錐筒１の錐面部11を被包するに足るサイズの錐面被包部21と、この錐面被包部21の頂部21ａから筒形に形成された折込部22とを一体に有することを特徴とする道路標識錐筒の防汚カバー。
【請求項２】
前記折込部22が円柱状に形成されていることを特徴とした請求項１記載の道路標識錐筒の防汚カバー。
【請求項３】
前記折込部22が漏斗状に拡大する如く形成されていることを特徴とした請求項１記載の道路標識錐筒の防汚カバー。
【請求項４】
透光性合成樹脂シート部材２は、錐面被包部21と折込部22との間の領域に括れ部23を有しており、この括れ部23の小径部分から前記折込部22が錐面被包部21の内方に向けて折込み易く構成されていることを特徴とする請求項１〜３の何れか一つに記載の、道路標識錐筒の防汚カバー。
【請求項５】
透光性合成樹脂シート部材２が、透明な汎用合成樹脂材料で作製されていることを特徴とする請求項１〜４の何れか一つに記載の、道路標識錐筒の防汚カバー。
【請求項６】
透光性合成樹脂シート部材２が、透明な生分解性樹脂フィルムを材料として作製されている請求項１〜４の何れか一つに記載の、道路標識錐筒の防汚カバー。
【請求項７】
截頭円錐形の道路標識錐筒１と；この道路標識錐筒１の円錐面11を被包する錐面被包部21、および当該錐筒１の截頭頂部12から内筒部13の中に折り込まれた円柱状または漏斗状の折込部22を備えた透光性合成樹脂シート部材２とから構成されることを特徴とする防汚カバーで被包された道路標識錐筒。
【発明の詳細な説明】
【０００１】
【発明の属する技術分野】
本発明は、工事現場あるいは交通の規制区域において、通行人あるいは通行車両の安全を目的として路上に設置される筒形錐体形状の標識具（例えば、カラーコーン）に被せるカバーに関し、更に詳しくは、使用中の風雨によるカラー標識錐筒の汚れあるいは日射による色褪せを防止して、その外周面に表示される標識の視認性を長期的に持続させることができる実用的な防汚カバーと当該カバーで被包した道路標識具に関するものである。
【０００２】
【従来の技術】
従来、防汚カバー付きの道路標識具としては、合成樹脂から成る略円錐体形状のカバーと標識具本体との間に標識板を挟んで、頂部からキャップ状の係合体を冠し全体を係止する道路標識具（例えば、特開平11−１５２７１５公報参照）が知られている。
【０００３】
しかしながら、このような係合体としては特殊なインジェクション成型のキャップを用いる為、加工の手間と費用がかかり、必然的に、製造コストを引き上げる結果となった。
【０００４】
また、上記の先行引例には、複数の標識具に係合体を冠して重ね合わせた状態での保管状況が図示されているが、使用目的あるいは使用場所が違えば、係合体を外して、所要の標識板に取り替えた後、再度カバーを被せてから係止する必要が生じ、設置数が多くなれば、準備に可なりの手間がかかった。
【０００５】
また、現在までに使用されている防汚カバーは、ポリ塩化ビニール・ポリエチレン等の汎用プラスチックを材料としており、損傷などに伴う廃棄処理に際して、環境政策上、種々の問題を提起している。
【０００６】
【発明が解決しようとする課題】
上記に鑑みて、本発明は、別の構成部品を使用することなく、全体構成を簡素化して、製造コストの削減を図ると共に、着脱・保管の手間を省力化した道路標識錐筒の防汚カバーを提供するものである。
【０００７】
また、本発明は、必要に応じては、環境に易しい生分解性材料から成る防汚カバーを提供するものである。
【０００８】
更に、本発明は、構成の簡素化並びに取り扱いの省力化を図った上記の防汚カバーで被包された道路標識錐筒を提供するものである。
【０００９】
【課題を解決するための手段】
本発明は、前述の目的を達成する手段として、筒形錐体を成す道路標識錐筒１の錐面を被包可能に作成された透光性合成樹脂シート部材２を、前記標識錐筒１の錐面部11を被包するに足るサイズの錐面被包部21と、この錐面被包部21の頂部21ａから円柱状あるいは漏斗状に形成された折込部22とを一体に有する構成としたことにより、従来の如きキャップ式の分離独立係合体を使用することなく、構成部品の簡素化と取り扱いの省力化を図った道路標識錐筒の防汚カバーを実現したことにある。
【００１０】
また、上述の具体的構成において、透光性合成樹脂シート部材２は、錐面被包部21と折込部22との間の領域に括れ部23を有しており、この括れ部23の小径部分から前記折込部22が錐面被包部21の内方に向けて折込み易く構成されていることによって、前記シート部材の標識具本体への着脱が容易な道路標識錐筒の防汚カバーを実現した。
【００１１】
また、上述の具体的構成において、要すれば、透光性合成樹脂シート部材２が透明な生分解性樹脂フィルムを材料として用いることによって、廃棄に当たり、自然分解して、処分コストの高騰あるいはダイオキシンを発生させたりすることのない道路標識錐筒の防汚カバーを実現した。
【００１２】
更に、前述の目的を達成する別の手段として、道路標識具を、截頭円錐形の道路標識錐筒１と；この道路標識錐筒１の円錐面11を被包する錐面被包部21、および当該錐筒１の截頭頂部12から内筒部13の中に折り込まれた円柱状あるいは漏斗状の折込部22を備えた透光性合成樹脂シート部材２とから構成したことにより、使用時あるいは保管時若しくは標識板の取り替え時の取り扱いが便利な防汚カバーで被包された道路標識錐筒を実現した。
【００１３】
【発明の実施の形態】
以下、本発明の実施の形態を、図示例を挙げて、更に詳細に説明する。
【００１４】
【第１実施形態】
図１は、本実施形態における防汚カバーの斜視図である。
【００１５】
また、図２は本実施形態における防汚カバーの使用時の状態を示す斜視図である。
【００１６】
図中、符号２にて指示されるものは、本発明における防汚カバーを構成する透光性の合成樹脂シート部材であって、ＰＶＣ・ＥＶＡ等の汎用樹脂を材料としているが、必要に応じて、これをポリＬ乳酸あるいはＤ乳酸と脂肪族ポリエステル樹脂（ポリブチレンサクシネート）にて作製した透光性の生分解性フィルムとしても良い。
【００１７】
また、符号21、21ａ、22及び23に指示されるものは、同シート部材の錐面被包部、同被包部の頂部、折込部並びに括れ部である。図１において、同折込部22は括れ部23の小径部分から上方に向かって拡大する漏斗状をなしている。このため図２に示される使用時の状態においては、図示される通り、括れ部23を介して内方に折れ込まれて、内部錐面に沿った状態となっている。
【００１８】
次に、図３は、本実施形態における防汚カバーを道路標識錐筒１に被せる状態を示す斜視図である。また、図４は、本実施形態における防汚カバーで被包された道路標識錐筒を示す斜視図である。図中、符号３にて示されるものは当該シート部材と錐筒との間に挟着された標識板である。また、符号４にて示されるものは反射板である。
【００１９】
図中、符号１にて指示されるものは、截頭円錐形の道路標識錐筒であって、錐面部11、截頭頂部12及び内筒部13から構成されている。
【００２０】
図３及び図４に図示される通り、当該折込部22を内筒部13に差し込んで、当該シート部材２を道路標識錐筒１に嵌着した状態において、括れ部23は、截頭頂部12周縁を覆う如く載置される一方において、折込部22は錐筒１の上部内周面に密着している。
【００２１】
この場合、錐面被包部21と折込部22が両側で錐面部11を弾性保持している為、当該シート部材が筒から抜け出たり、あるいは、筒表面を回転して、表示の標識案内に支障が生じたりすることはない。
【００２２】
また、当該シート部材２を取り外す場合は、当該錐筒１の内筒部に手を差し込んで、折込部を捲り上げるだけで良い。
【００２３】
【第２実施形態】
図５は、本実施形態における防汚カバーの斜視図である。また、図６は本実施形態における防汚カバーを道路標識錐筒１に被包した状態を示す斜視図である。
【００２４】
本実施形態と第１実施形態との差異は、図示される通り、折込部22を円柱状に形成した点にあり、図６に示される通り、道路標識錐筒１の内筒部13に反射板４の脚部４ａを収容する為の収容口14が設けられている場合に適する。
【００２５】
この場合、折込部22は前記反射板４の脚部４ａ及び収容口14内周面に挟着されている為、当該シート部材が筒から抜け出たり、あるいは、筒表面を回転して、表示の標識案内に支障が生じたりすることはない。
【００２６】
本発明の道路標識錐筒の防汚カバーと同カバーで被包された道路標識錐筒は、概ね上記の如く実施されるが、これに限定されるわけでは決してなく、「特許請求の範囲」内において種々に設計変更可能であることは云うまでもない。
【００２７】
たとえば、図７に示される通り、折込部の上部周縁を外側に半円状に曲げた形状とすれば、内筒部13周面において引っ掛かりが強まり、不意の抜け落ちあるいは標識板のズレが更に抑制できる。
【００２８】
また、本発明における防汚カバーは、道路標識錐筒が円錐状のコーンだけでなく、角錐状のものにも被着可能である。
【００２９】
【発明の効果】
上述したとおり、本発明に基づく道路標識錐筒の防汚カバーは、截頭頂部の部分を包み込んだ状態で内筒部に沿って折り返した折込部によって被包できるので雨水や汚水によって標識水面が見にくくなる憂いがない。また、本発明の防汚カバーは、構造上簡素でありながら、不意に抜け出たり、あるいは、表示がずれたりする等の標識機能低下を招くことはない。
【００３０】
また、本発明に基づく道路標識錐筒の防汚カバーは、必要に応じて、これを生分解性フィルムで作製することによって、環境政策上、ダイオキシンの低減に貢献することが出来る。
【００３１】
また、本発明における防汚カバーで被包された道路標識錐筒は、使用時、保管時及び標識板取り替え時において同カバーの着脱が容易であって、作業の省力化を図ることが出来る。
【図面の簡単な説明】
【図１】図１は、第１実施形態における防汚カバーの斜視図である。
【図２】図２は、図１に示す防汚カバーの使用時の状態を示す斜視図である。
【図３】図３は、第１実施形態における防汚カバーを道路標識錐筒１に被せる状態を示す斜視図である。
【図４】図４は、第１実施形態における防汚カバーで被包された道路標識錐筒を示す斜視図である。
【図５】図５は、第２実施形態における防汚カバーの斜視図である。
【図６】図６は、図５に示される防汚カバーで被包された道路標識錐筒を示す斜視図である。
【図７】図７は、本発明における防汚カバーの変更例を示す斜視図である。
【符号の説明】
１            道路標識錐筒
１１          錐面部
１２          截頭頂部
１３          内筒部
１４          収容口
２            透光性合成樹脂シート部材
２１          錐面被包部
２１ａ        （錐面被包部）頂部
２２          折込部
２３          括れ部
３            標識板
４            反射板
４ａ        （反射板）脚部
【図１】
0003999007.tif 000002
【図２】
0003999007.tif 000003
【図３】
0003999007.tif 000004
【図４】
0003999007.tif 000005
【図５】
0003999007.tif 000006
【図６】
0003999007.tif 000007
【図７】
0003999007.tif 000008